(57)【要約】【課題】壁や家具に傷を付ける事が無く、使い勝手の良い掃除機用吸込具を提供する。【解決手段】底面に設けた吸入口（図示せず）より被掃除面上の塵埃を吸引する第１吸込具１１と、被掃除面上の塵埃を吸引する機能を有すると共に前記第１吸込具１１に着脱自在の第２吸込具１０と、前記第１吸込具１１の前部より突出させて設けたローラー１２を備え、前記ローラー１２は弾力性を持つ構成としたもので、第２吸込具１０を装着する時に第１吸込具１１が前に押されて移動しても、弾力性のあるローラー１２が壁や家具に先に当たるので、それらに傷を付ける事が無く、使い勝手が良い。【選択図】図２
2006025980.tif 000002
【特許請求の範囲】
【請求項１】
底面に設けた吸入口より被掃除面上の塵埃を吸引する第１吸込具と、被掃除面上の塵埃を吸引する機能を有すると共に前記第１吸込具に着脱自在の第２吸込具と、前記第１吸込具の前部より突出させて設けたローラーを備え、前記ローラーは弾力性を持つ構成とした掃除機用吸込具。
【請求項２】
ローラーを弾力性のある材料で形成した請求項１に記載の掃除機用吸込具。
【請求項３】
ローラーを第１吸込具の前部を形成する材料よりすべり易い材料で形成した請求項１又は２に記載の掃除機用吸込具。
【請求項４】
電気掃除機本体に内蔵された電動送風機による吸引風で回転して被掃除面上の塵埃を掻き上げる回転ブラシを第１吸込具に回転自在に配した請求項１〜３のいずれか１項に記載の掃除機用吸込具。
【請求項５】
第１吸込具の吸入口の前縁部に床面との隙間を広くした凹部を形成した請求項１〜４のいずれか１項に記載の掃除機用吸込具。
【請求項６】
第１吸込具の回転ブラシを設けた吸込室の後壁より後部に、前記第１吸込具と第２吸込具の合わせ部を位置させた４または５に掃除機用吸込具。
【請求項７】
第２吸込具に、第１吸込具に装着されているときに前記第１吸込具の吸入口と連通する第１開口と、これとは別の第２開口を形成した請求項１〜６のいずれか１項に記載の掃除機用吸込具。
【請求項８】
第２吸込具を第１吸込具から取り外した時の第１開口の開口面積を、第２開口のそれより大きく設定した請求項７に記載の掃除機用吸込具。
【請求項９】
第１吸込具の吸入口の後部にブラシや繊維で構成したブラシ体を設けた請求項１〜８のいずれか１項に記載の掃除機用吸込具。
【請求項１０】
電動送風機を内蔵した本体と、請求項１〜９のいずれか１項に記載の掃除機用吸込具を備えた電気掃除機。
【発明の詳細な説明】
【技術分野】
【０００１】
本発明は、２つの吸込具からなる掃除機用吸込具及びそれを備えた電気掃除機に関するものである。
【背景技術】
【０００２】
従来のこの種の掃除機用吸込具について、図７、８を用いて説明する。図７は、従来の掃除機用吸込具の平面図、図８は、同掃除機用吸込具の構成を示す分解図である。
【０００３】
図において、従来の掃除機用吸込具１００は、床ノズル１１１とそれに斜め後方から着脱自在に装着される小型ノズル１１０から構成されている。
【０００４】
床ノズル１１１は、所謂パワーノズルとして構成され、ブラシとゴムブレード等からなる掻き揚げ体１２０ａを回転軸１２０ｂに取り付けた回転ブラシ１２０をモータ１２１によって回転駆動し、絨毯等から塵埃を掻き出す機能を備えている。前記モータ１２１への給電は、小型ノズル１１０が床ノズル１１１に装着されることにより、小型ノズル１１０に配設された一対の給電接点（図示せず）が床ノズル１１１に配設された一対の受電接点１２２に摺動接触することによりなされる。
【０００５】
床ノズル１１１は、前記回転ブラシ１２０を収容した横長の吸込口１２３を形成した幅広の吸込部１２４と、その中央部分から後方に突出する走行部１２５とを設けて、平面形状がＴの字状に形成され、図８に示すように、上面側に走行部１２５の後方端から吸込部１２４にかけて小型ノズル収納凹部１２６が形成されている。小型ノズル収納凹部１２６内の前方側には前記吸込口１２３に連通する連通口１２７が開口されており、小型ノズル収納凹部１２６に小型ノズル１１０を装着し、電気掃除機本体（図示せず）に連通接続された延長管（図示せず）の先端を小型ノズル１１０の接続パイプ１１０ａに接続すると電気掃除機本体への空気流路が形成される（例えば、特許文献１参照）。
【特許文献１】特開２００３−３３９５８５号公報
【発明の開示】
【発明が解決しようとする課題】
【０００６】
しかしながら、上記従来の掃除機用吸込具においては、床ノズル１１１に小型ノズル１１０を装着する際、その装着する力で床ノズル１１１が前方に移動し、壁や家具にあたり傷つける等の課題があった。
【０００７】
また、集塵性能を得るためにモーター１２１で駆動される回転ブラシ１２０を設けているので質量が重くなり使用しにくいという課題を有していた。
【０００８】
本発明は、上記従来の課題を解決するもので、床ノズルへの小型ノズルの装着時に、前記床ノズルが壁や家具に当たって傷をつける事がなく、軽量で使い勝手の良い掃除機用吸込具及びそれを備えた電気掃除機を提供することを目的とする。
【課題を解決するための手段】
【０００９】
前記従来の課題を解決するために、本発明の掃除機用吸込具は、底面に設けた吸入口より被掃除面上の塵埃を吸引する第１吸込具と、被掃除面上の塵埃を吸引する機能を有すると共に前記第１吸込具に着脱自在の第２吸込具と、前記第１吸込具の前部より突出させて設けたローラーを備え、前記ローラーは弾力性を持つ構成としたもので、第２吸込具を装着する時に第１吸込具が前に押されて移動しても、弾力性の有るローラー部分が壁や家具に先に当たるので、壁や家具に傷を付ける事が無く、使い勝手が良い。
【００１０】
また、本発明の電気掃除機は、電動送風機を内蔵した本体と、請求項１〜９のいずれか１項に記載の掃除機用吸込具を備えたもので、広い床面の清掃も、家具と家具との間等の狭い床面の清掃も簡単に且つ傷つけることもなく行なうことができる電気掃除機を提供することができる。
【発明の効果】
【００１１】
本発明の掃除機用吸込具は、第２吸込具を装着する時に第１吸込具が前に押されて移動しても、弾力性のあるローラーが先にあたるので壁や家具に傷を付けるなどの心配が無く、
また、第１、第２吸込具を用いた掃除動作が、簡単にしかも軽く楽に安定して行え、使い勝手が良くなる。
【発明を実施するための最良の形態】
【００１２】
第１の発明は、底面に設けた吸入口より被掃除面上の塵埃を吸引する第１吸込具と、被掃除面上の塵埃を吸引する機能を有すると共に前記第１吸込具に着脱自在の第２吸込具と、前記第１吸込具の前部より突出させて設けたローラーを備え、前記ローラーは弾力性を持つ構成としたもので、第２吸込具を装着する時に第１吸込具が前に押されて移動しても、弾力性の有るローラー部分が壁や家具に先に当たるので、壁や家具に傷を付ける事が無く、使い勝手が良い。
【００１３】
第２の発明は、特に、第１の発明のローラーを弾力性のある材料で形成したもので、第２吸込具を装着する時に第１吸込具が前に押されて移動しても弾力性のあるローラーが壁や家具にあたるので、壁などに傷を付ける心配もないなど使い勝手が良い。
【００１４】
第３の発明は、特に、第１又は第２の発明のローラーを第１吸込具の前部を形成する材料よりすべり易い材料で形成したもので、第１吸込具が前に押されて移動して壁や家具にローラーが接触しても、軽く操作できるなど使い勝手が良い。
【００１５】
第４の発明は、特に、第１〜３のいずれか１つの発明の第１吸込具に、電気掃除機本体に内蔵された電動送風機による吸引風で回転して被掃除面上の塵埃を掻き上げる回転ブラシを回転自在に配したもので、回転ブラシを駆動するモーター等の別部品が不要となり、第１吸込具を軽量化でき、且つ絨毯のゴミなども回転ブラシで掻き出し集塵性能が向上できる。
【００１６】
第５の発明は、第１〜４のいずれか１つの発明の第１吸込具の吸入口の前縁部に床面との隙間を広くした凹部を形成し、前記凹部の天面と掃除面との隙間を２ｍｍ以上としたもので、効率よく米粒等の大きめのゴミの集塵性能も向上できる。
【００１７】
第６の発明は、第４または第５の発明の第１吸込具の回転ブラシを設けた吸込室の後壁より後部に、前記第１吸込具と第２吸込具の合わせ部を位置させたもので、第２吸込具の先端と第１吸込具の吸込室との間に一定の距離が確保されるので吸気風がスムーズに流れ連結部で発生する吸気音も小さくなり掃除機用吸込具の騒音を低減できる。
【００１８】
第７の発明は、特に、第１〜６のいずれか１つの発明の第２吸込具に、第１吸込具に装着されているときに前記第１吸込具の吸入口と連通する第１開口と、これとは別の第２開口を形成したもので、第２吸込具担体で掃除する時に上記二つの開口部から効率よく塵埃を集塵することができる。
【００１９】
第８の発明は、特に、第７の発明の第２吸込具を第１吸込具から取り外した時の第１開口の開口面積を、第２開口のそれより大きく設定したもので、第２吸込具で掃除する時に第１開口の有効な開口面積が掃除面と接触して小さくなっても第１開口が広いので吸気風がスムーズに流れ第２吸込具の騒音が押さえられる。
【００２０】
第９の発明は、特に、第１〜８のいずれか１つの発明の第１吸込具の吸入口の後部にブラシや繊維で構成したブラシ体を設けたもので、第２吸込具を第１吸込具に取り付ける時に第１吸込具の下面が床面に当たり傷が付くことを防止できる。また下面吸入口後部にブラシ等を設けているので回転ブラシの回転力でとらえたゴミを後ろに逃がさないので集塵力が向上できる。
【００２１】
第１０の発明は、電動送風機を内蔵した本体と、請求項１〜９のいずれか１項に記載の掃除機用吸込具を備えたもので、広い床面の清掃も、家具と家具との間等の狭い床面の清掃も簡単に且つ傷つけることもなく行なうことができる電気掃除機を提供することができる。
【００２２】
以下、本発明の実施の形態について、図面を参照しながら説明する。なお、この実施の形態によってこの発明が限定されるものではない。
【００２３】
（実施の形態１）
以下、本発明の第１の実施の形態における掃除機用吸込具について図１〜図６を用いて説明する。
【００２４】
図１は、本発明の掃除機用吸込具及びそれを接続した床移動型の電気掃除機の全体斜視図である。
【００２５】
図において、電気掃除機１は、先端に掃除機用吸込具３を着脱可能に装着され、他端が手元ハンドル（手元操作筒）４に連結される延長管２と、手元ハンドル４から延出しホース継ぎ手５を介して掃除機本体７に接続されるホース６とを有し、前記掃除機本体７には、電動送風機（図示せず）とこれを制御する制御部材（図示せず）が内蔵されている。
【００２６】
次に、上記掃除機用吸込具３の詳細について、図１、図２を用いて説明する。
【００２７】
掃除機用吸込具３は、図２に示すように、前記延長管２に連結するための連結管（連結部）９に回動連結部（回動連結手段）８を介して吸気ヘッド３０が接続された第２吸込具１０を第１吸込具１１に着脱自在に装着して構成されている。
【００２８】
第１吸込具１１に対する第２吸込具１０の着脱は、第１吸込具１１に設けられた操作レバー１３を押し下げることにより、第２吸込具１０を把持する保持具（図示せず）の把持状態が解放されて第２吸込具１０を第１吸込具１１から離脱させることができ、第２吸込具１０を用いて狭い場所の掃除ができる。また、保持具内に第２吸込具１０を載せて軽く押圧することにより第２吸込具１０は第１吸込具１１に装着され、第１吸込具１１を用いて被掃除面の掃除を効率よく行なうことができる。
【００２９】
上記第２吸込具１０は、図３に示すように、第１吸込具１１への装着方向面となる下側面は床面への傷つきを防ぐ目的で起毛布（起毛体）１４が貼着され、かつ第２開口１５が開口している。また、先端側には後述する第１吸込具１１の吸入口２３に連通する第１開口１６が設けられている。
【００３０】
図３、４において、１７は、第１開口１６を閉じる方向にバネ付勢された蓋体で、第２吸込具１０が第１吸込具１１に装着されている時は、バネ付勢力に抗して蓋体１７が開かれ第１開口１６と第１吸込具１１の吸入口２３とが連通し、又、第２吸込具１０が第１吸込具１１から離脱している状態では、図３に示すように第１開口１６はバネ付勢された蓋体１７によって下面側の一部を残して閉じられる。
【００３１】
このとき、蓋体１７の上下方向寸法を第１開口１６の開口高さ寸法より小さくし、第１開口１６の下方を空けた状態で第１開口１６を部分的に閉じた状態が得られる。このとき蓋体１７にて閉じたときの第１開口１６の開口面積Ａは第２開口の開口面積Ｂより広く構成している。
【００３２】
図５において、上記第１吸込具１１には、回転ブラシ２０が回転自在に設けられている。回転ブラシ２０の回転軸２０ｂには、ブラシやブレードなどからなる掻き揚体２０ａが設けられ、回転ブラシ２０を掃除機本体７で生成される吸気風によって回転駆動し、絨毯等から塵埃を掻き出す機能を備えている。
【００３３】
また第１吸込具１１の吸入口２３後部にブラシや繊維で構成したブラシ体３５が設けられ、第２吸込具１０を第１吸込具１１に取り付ける時に第１吸込具１１の下面が床面に当たり傷が付くのを防止するようにしている。また吸入口２３後部にブラシ体３５を設けているので回転ブラシ２０の回転力でとらえたゴミを後ろに逃がさないので集塵力が向上できる。
【００３４】
図６において第１吸込具１１には、前記回転ブラシ２０を収容した横長の吸入口２３を形成した幅広の吸込室２４と、その中央部分から後方に突出する走行部２５とを設けて、平面形状がＴの字状に形成されている。第１吸込具１１の前部にはゴムや起毛布などの弾力性があり、やわらかい材料でしかも第１吸込具１１の前部より滑り易い材料で形成されたローラー１２を第１吸込具１１の前部より突出して取り付けている。またこの第１吸込具１１の吸入口２３の前縁部には床面との隙間を広く形成した凹部１８を形成し、凹部１８の天面と床面との隙間寸法を２ｍｍ以上に設定している。
【００３５】
図２に示すように、上面側に走行部２５の後方端から吸込室２４にかけて第２吸込具収納凹部２６が形成されている。第２吸込具収納凹部２６内の前方側には前記吸込室２４に連通する通気口２７が開口されている。このとき第１吸込具１１と第２吸込具１０との合わせ部１９は吸込室２４の後壁２４ａより後ろ側（第２吸込具１０側）に位置している。この通気口２７には、吸込室２４の一部分を構成すると共になめらかな誘い形状のベルマウス体３１が設けられている。  第２吸込具収納凹部２６に第２吸込具１０を装着すると、第２吸込具１０に形成された第１開口１６の蓋体１７が開き、前記通気口２７と第１開口１６との間が連通し、掃除機本体７への空気流路が形成される。
【００３６】
前記吸込室２４の前部には空気取入口（図示せず）を設けている。空気取入口と通気口２７とを結ぶ直線は回転ブラシ２０の回転中心より変位して構成し、空気取入口から流入する吸気風により回転ブラシ２０の回転力が得られる様に構成している。
【００３７】
図４は、第１吸込具１１に第２吸込具１０を装着した状態を示す断面図で、第１吸込具１１に第２吸込具１０が装着されると、第２吸込具収納凹部２６内の前方側から後方側に向けて突出し、第１開口開閉手段となる開閉操作リブ２８が第２吸込具１０の第１開口１６をバネ付勢によって部分的に閉じていた蓋体１７を回動させ、図示するようにバネ付勢力に抗して蓋体１７を開き、第１開口１６を全開状態にして、吸入口２３から連結管９に至る空気流路を形成する。
【００３８】
また、第２吸込具１０の第２開口１５は、第１吸込具１１の一部で、具体的には、第２吸込具収納凹部２６の底面によって塞がれるので、第２吸込具１０を第１吸込具１１に装着した状態では、吸入口２３からの吸気のみとなり、第１吸込具１１による吸塵能力が損なわれることがない。
【００３９】
図３において、第１吸込具１１に設けられた操作レバー１３を下方に押し下げる（足先で踏む）と、第２吸込具１０を第１吸込具１１から離脱させることができる。第２吸込具１０を第１吸込具１１から取り外すと、図５に示すように、第１開口１６に設けられた蓋体１７は前記開閉操作リブ２８による押圧がなくなるので、バネ付勢によって蓋体１７は第１開口１６を閉じる方向に回動する。このとき、蓋体１７の上下方向寸法を第１開口１６の開口高さ寸法より小さくし、第１開口１６の下方を空けた状態で第１開口１６を部分的に閉じた状態が得られる。このとき蓋体１７にて閉じたときの第１開口１６の開口面積Ａは第２開口１５の開口面積Ｂより広く構成している。また、第２開口１５は開放状態になるので、第１開口１６の下方と第２開口１５の２ヶ所の開口から連結管９に至る空気流路が形成され、第２吸込具１０による集塵機能が得られる。
【００４０】
前述したように、第２吸込具１０には吸気ヘッド３０と連結管９との間を左右方向に回動自在に連結する回動連結部８が設けられており、図１、２に示すように、第２吸込具１０が第１吸込具１１に装着された状態では、連結管９に延長管２を介して連結された手元ハンドル４の上げ下げ操作に応じて、連結管９は回動連結部８に対し上下回動し、又、手元ハンドル４を回動させる動き、即ち第１吸込具１１の進路方向を左右いずれかの方向に変更するハンドル操作がなされるときには、進路方向に手元ハンドル４を回動させる動きが自然になされるので、回動連結部８に回動力が加わると、第１吸込具１１の後方側に回動連結部８があるため、軸の回動方向に第１吸込具１１が回動する動きが働き、スムーズに第１吸込具１１の進路変更がなされる。
【００４１】
第２吸込具１０を第１吸込具１１に取り付けた状態では、幅広の第１吸込具１１により一般的な電気掃除機と同様に被掃除面の掃除を効率よく行なうことができる、すなわち、掃除機本体７の吸引風で前記回転ブラシ２０が回転し床面や絨毯にあるゴミを掻き取ることができ集塵性能が向上する。また第１吸込具１１に設けた回転ブラシ２０は、吸引風で回転駆動するものなので、回転ブラシ２０を駆動するモーター等が不要となり、第１吸込具１１を軽量化することができる。
【００４２】
また第１吸込具１１の前部より突出して弾力性のあるローラー１２を取り付けたので、第１吸込具１１に第２吸込具１０を着脱自在に接続してそれぞれの吸込具を用いた掃除動作が安定して行えると共に、また第２吸込具１０を装着する時に第１吸込具１１が前に押されて移動しても弾力性のあるローラー１２が先に壁や家具にあたるので傷を付ける心配もないなど使い勝手が良くなる。
【００４３】
なお、上記実施の形態では、ローラー１２を弾力性を持つ材料で形成することにより弾力性を持たせたが、その他の構成、例えばローラー１２を支持する軸（図示せず）自体を弾力性の材料で形成して軸自体が弾性変形することによりローラー１２が動くようにしても良く、弾力性を持つ構成であればどのように構成しても良いものである。
【００４４】
さらに、第１吸込具１１の吸入口２３の前縁部に床面との隙間を広くする為の凹部１８を形成したことにより、第２吸込具１０の吸込力が有効に働くので、床面の米粒などの塵埃が効率的に集塵できる。
【００４５】
この第１吸込具１１の回転ブラシ２０を設けた吸込室２４の後壁２４ａより後部に第１吸込具１１と第２吸込具１０の第１開口１６との合わせ部１９が位置しているので、第２吸込具１０の第１開口１６と吸込室２４の間に一定の距離が確保され、吸気風がスムーズに流れ、掃除機用吸込具３の騒音を低減することができる。
【００４６】
次に、第１吸込具１１が入らないような家具と家具との間等の狭い場所や、階段などを掃除する場合は、必要に応じて操作レバー１３を足踏みすると、腰を屈めることなく第１吸込具１１から第２吸込具１０を離脱させ、小型の第２吸込具１０を用いた掃除ができるので、別部品の先端ノズル（図示せず）等を付け替える面倒な作業は解消される。また、第２吸込具１０を離脱させた第１吸込具１１は被掃除面にあるので、第１吸込具１１を再度使用するときは、腰を屈めることなくその第１吸込具１１に第２吸込具１０を押し入れると即座に通常の床掃除に取りかかることができる。
【００４７】
第２吸込具１０の第１開口１６は、前述したように第１吸込具１１からの離脱時に下側面側を残して蓋体１７によって閉じられるので第１開口１６の開口面積が縮小する結果、吸気流速が増加し、掃除面に近い側で開口するので、第２吸込具１０は先端側からの集塵効果も得られ、より広範囲の掃除が可能となる。
【００４８】
以上のように、本実施の形態によれば、モーターを設けていない第１吸込具１１に第２吸込具１０を着脱自在に接続して、この第１吸込具１１の前部より突出して弾力性のあるローラー１２を取り付けたことにより、第１吸込具１１に第２吸込具１０を着脱自在に接続してそれぞれの吸込具を用いた掃除動作が安定して行えると共に、軽い質量の第１吸込具１１を提供できるので使用性が向上し、また第２吸込具１０を第１吸込具１１に装着する時に第１吸込具１１が前に押されて移動しても弾力性のあるローラー１２が壁や家具にあたるだけで、傷を付ける心配もないなど使い勝手が良く、かつ滑り易い材料で構成しているので操作も軽くなるなど使い勝手が良い。
【００４９】
また、第２吸込具１０に形成した第１開口１６と第２開口１５は、第１吸込具１１から取り外した状態で第１開口１６の開口面積を広く構成したことにより、第２吸込具１０で掃除する時に第１開口１６の有効な開口面積が掃除面と接触し小さくなったときも第１開口１６が広いので吸気風がスムーズに流れ第２吸込具１０で発生する騒音が押さえられる。
【００５０】
また、第２吸込具１０に、第１吸込具１１に装着しているときに塵埃の通路をなす第１開口１６と、これとは別に第２開口１５を形成したことにより、第２吸込具１０で掃除する時に二つの開口部から効率よく塵埃を集塵できる。
【００５１】
さらに、第１吸込具１１に形成した通気口２７と第２吸込具１０に形成した第１開口１６との合わせ部１９が、吸込室２４の後壁２４ａより後部に位置しているので、第２吸込具１０の第１開口１６と吸込室２４の間に一定の距離が確保できるので吸気風がスムーズ
に流れ連結部で発生する吸気音も小さくなり掃除機用吸込具３の騒音を低減できる。
【００５２】
また第１吸込具１１が、第２吸込具１０を介して掃除機本体７に連通しているので、第２吸込具１０を第１吸込具１１に取り付けて、回転ブラシ２０を回転させながら掃除している時に、万一、第２吸込具１０を第１吸込具１１から取り外しても、吸引風が第１吸込具１１に作用しなくなって、回転ブラシ２０が瞬時に停止するので安全である。
【００５３】
逆に、第２吸込具１０のみで掃除をしている時に、その第２吸込具１０を第１吸込具１１に取り付けると、直ちに、吸引風が第１吸込具１１に作用し、回転ブラシ２０が回転し、絨毯などの掃除を即開始することができ、掃除作業のロスや手間がかからず非常に使用勝手が良いものである。
【００５４】
また、吸込室２４の後部に第２吸込具１０と連通する通気口２７を形成しているので、回転ブラシ２０で掻き揚げられた塵埃が通気口２７を経て確実に第２吸込具１０に送られ、掃除作業を効率良く行なうことができる。
【産業上の利用可能性】
【００５５】
以上のように、本発明にかかる掃除機用吸込具は、第２吸込具を装着する時に第１吸込具が前に押されて移動しても、弾力性のあるローラーが先にあたるので壁や家具に傷を付けるなどの心配が無く、また、第１、第２吸込具を用いた掃除動作が、簡単にしかも軽く楽に安定して行え、使い勝手が良いもので、業務用掃除機などの吸込具にも適用できる。
【図面の簡単な説明】
【００５６】
【図１】本発明の実施の形態１における掃除機用吸込具を接続した電気掃除機の全体斜視図
【図２】同掃除機用吸込具の平面図
【図３】（ａ）同掃除機用吸込具の第２吸込具の下面図（ｂ）同第２吸込具の側面断面図
【図４】同掃除機用吸込具の断面図
【図５】同掃除機用吸込具の第１吸込具の断面図
【図６】同第１吸込具の裏面図
【図７】従来の掃除機用吸込具の平面図
【図８】同掃除機用吸込具の床ノズル構成を示す分解図
【符号の説明】
【００５７】
３  掃除機用吸込具
７  掃除機本体
１０  第２吸込具
１１  第１吸込具
１２  ローラー
１５  第２開口
１６  第１開口
１８  凹部
１９  合わせ部
２０  回転ブラシ
２３  吸入口
２４  吸込室
２４ａ  後壁
２７  通気口
３５  ブラシ体
【図１】
2006025980.tif 000003
【図２】
2006025980.tif 000004
【図３】
2006025980.tif 000005
【図４】
2006025980.tif 000006
【図５】
2006025980.tif 000007
【図６】
2006025980.tif 000008
【図７】
2006025980.tif 000009
【図８】
2006025980.tif 000010